(57)【要約】【課題】  所望の商品サイトを簡易に探し出す。【解決手段】  ユーザ端末にメールが表示され、リンク表示オンが指示されると、情報仲介サーバに記憶されている人名の部分がハイパーリンク表示される。メールの表示画面にて、ハイパーリンクされた人名が選択されると、情報仲介サーバの特定リストにジャンプする。このように、商品の属性キーのうち、人的属性文字列が同じ商品をグループ化して記憶しておき、テキストデータ中に同じ人的属性文字列があればそのリスト化したページとハイパーリンクさせることにより、目的サイトを容易に探し出すことができる。【選択図】  図１
2014139804.tif 000002
【特許請求の範囲】
【請求項１】
Ａ）特定アドレス宛に送信されたメールデータを受信するユーザ端末、
Ｂ）前記ユーザ端末とネットワーク接続された情報仲介サーバ、
を備えた商品紹介システムであって、
Ｃ）前記情報仲介サーバは、個別商品特定情報が、複数列挙された商品特定情報リストを記憶するリスト記憶手段を記憶している、
c1)前記個別商品特定情報は、商品特定属性のうち人的属性文字列を含んだ文字列で構成され、特定の商品販売サイトにハイパーリンクされている、
c2)前記商品特定情報リストは、同じ人的属性文字列を有する個別商品特定情報毎にグループ化されて、グループ毎に別のＵＲＬに記憶されている、
Ｄ）前記ユーザ端末は、以下を備えていること、
d1)前記各グループに共通する人的属性文字列と、各グループ毎のＵＲＬの対応リストを記憶する対応リスト記憶手段、
d2)前記受信したメールデータから、前記対応リストの人的属性文字列を抽出して、抽出した人的属性文字列に対応するＵＲＬとハイパーリンク表示させるハイパーリンク処理手段、
d3)前記ハイパーリンク表示させた人的属性文字列が選択された選択命令が与えられると、対応するＵＲＬに記憶された商品特定情報リストの配信要求を前記情報仲介サーバに与え、前記情報仲介サーバから、前記商品特定情報リストを受け取ると、前記商品特定情報リストを表示するブラウザ処理手段、
を特徴とする商品紹介システム。
【請求項２】
Ａ）特定アドレス宛に送信されたメールデータを受信するユーザ端末、
Ｂ）前記ユーザ端末とネットワーク接続された情報仲介サーバ、
を備えた商品紹介システムであって、
Ｃ）前記情報仲介サーバは、以下の商品特定情報リスト記憶手段を備えている、
c1)商品特定属性のうち商品属性文字列を含んだ文字列で構成され、特定の商品販売サイトにハイパーリンクされている個別商品特定情報が、複数列挙された商品特定情報リストを記憶している、  
c2)前記商品特定情報リストは、同じ商品属性文字列を有する個別商品特定情報毎にグループ化されて、グループ毎に別のファイルに記憶されている、
Ｄ）前記ユーザ端末は、以下を備えていること、
前記各グループに共通する商品属性文字列と、各グループ毎のファイル格納先特定データの対応リストを記憶するファイル格納先特定データ記憶手段、
前記受信したメールデータから、前記対応リストの商品属性文字列を抽出して、抽出した商品属性文字列に対応するファイル格納先特定データとハイパーリンク表示させる表示制御手段、
を特徴とする商品紹介システム。
【請求項３】
商品特定属性のうち商品属性文字列を含んだ文字列で構成され、特定の商品販売サイトにハイパーリンクされた個別商品特定情報が、複数列挙された商品特定情報リストを記憶する商品特定情報リスト記憶手段であって、前記商品特定情報リストは、同じ商品属性文字列を有する個別商品特定情報毎にグループ化されて、グループ毎に別のファイルに記憶されている商品特定情報リスト記憶手段、
前記各グループに共通する商品属性文字列と、各グループ毎のファイル格納先特定データの対応リストを記憶するファイル格納先特定データ記憶手段、
受信したメールデータから、前記対応リストの商品属性文字列を抽出して、抽出した商品属性文字列に対応するファイル格納先特定データとハイパーリンク表示させる表示制御手段、
を備え、
前記表示制御手段は、前記ハイパーリンク表示させた商品属性文字列が選択された選択命令が与えられると、選択されたファイル記憶された商品特定情報リストを表示すること、
を特徴とするユーザ端末。
【請求項４】
Ａ）特定アドレス宛に送信されたメールデータを受信するユーザ端末、
Ｂ）前記ユーザ端末とネットワーク接続された情報仲介サーバ、
を備えた商品紹介システムであって、
Ｃ）前記情報仲介サーバは、以下の商品特定情報リスト記憶手段を備えている、
c1)商品特定属性のうち商品属性文字列を含んだ文字列で構成され、特定の商品販売サイトにハイパーリンクされている個別商品特定情報が、複数列挙された商品特定情報リストを記憶している、  
c2)前記商品特定情報リストは、同じ商品属性文字列を有する個別商品特定情報毎にグループ化されて、グループ毎に別のファイルに記憶されている、
ユーザ端末から商品属性文字列を特定したファイル格納先特定データ問い合わせ要求があると、前記商品特定情報リストを参照して、当該商品属性文字列を含む商品特定情報リストのファイル格納先特定データを送信する回答手段、
Ｄ）前記ユーザ端末は、以下を備えていること、
d1)前記各グループに共通する商品属性文字列リストを記憶する抽出文字列記憶手段、
d2)前記受信したメールデータに前記商品属性文字列記憶手段に記憶された文字列を抽出した場合には、これを前記情報仲介サーバに送信する送信手段、
d3)前記情報仲介サーバから、ファイル格納先特定データを受け取ると、抽出した文字列を、受け取ったファイル格納先特定データとハイパーリンク表示させる表示制御手段、
を特徴とする商品紹介システム。
【請求項５】
Ａ）テキストデータを含むコンテンツデータを供給する複数の情報提供サーバ、
Ｂ）前記ユーザ端末とネットワーク接続された情報仲介サーバ、
を備えた商品紹介システムであって、
Ｃ）前記情報仲介サーバは、下記商品特定情報リスト記憶手段、ファイル格納先特定データ記憶手段、ハイパーーリンク処理手段を有すること、
Ｃ１)以下のc11),c12)の商品特定情報リスト記憶手段、
c11)商品特定属性のうち商品属性文字列を含んだ文字列で構成され、特定の商品販売サイトにハイパーリンクされている個別商品特定情報が、複数列挙された商品特定情報リストを記憶している、  
c12)前記商品特定情報リストは、同じ商品属性文字列を有する個別商品特定情報毎にグループ化されて、グループ毎に別のファイルに記憶されている、
Ｃ２）前記各グループに共通する商品属性文字列と、各グループ毎のファイル格納先特定データの対応リストを記憶するファイル格納先特定データ記憶手段、
Ｃ３）前記コンテンツデータから、前記対応リストの商品属性文字列を抽出して、抽出した商品属性文字列に対応するファイル格納先特定データとハイパーリンク処理させるハイパーーリンク処理手段、
を特徴とする商品紹介システム。
【請求項６】
Ａ）テキストデータを含むコンテンツデータを供給する複数の情報提供サーバ、
Ｂ）前記情報提供サーバにアクセスして前記コンテンツデータを受信するユーザ端末、
Ｃ）前記ユーザ端末とネットワーク接続された情報仲介サーバ、
を備えた商品紹介システムであって、
Ｄ）前記情報仲介サーバは、下記の商品特定情報リスト記憶手段を有し、
ｄ１)以下のd11),d12)の商品特定情報リスト記憶手段、
d11)商品特定属性のうち商品属性文字列を含んだ文字列で構成され、特定の商品販売サイトにハイパーリンクされている個別商品特定情報が、複数列挙された商品特定情報リストを記憶している、  
d12)前記商品特定情報リストは、同じ商品属性文字列を有する個別商品特定情報毎にグループ化されて、グループ毎に別のファイルに記憶されている、
Ｅ）前記ユーザ端末は、下記のファイル格納先特定データ記憶手段、コンテンツデータ取得手段、ハイパーーリンク処理手段を有すること、
e1)前記各グループに共通する商品属性文字列と、各グループ毎のファイル格納先特定データの対応リストを記憶するファイル格納先特定データ記憶手段、
e2)前記コンテンツサーバから前記コンテンツデータを取得するコンテンツデータ取得手段、
e3)前記取得したコンテンツデータについて、前記対応リストの商品属性文字列を抽出して、抽出した商品属性文字列に対応するファイル格納先特定データとハイパーリンク表示させるハイパーリンク処理手段、
を特徴とする商品紹介システム。
【発明の詳細な説明】
【技術分野】
【０００１】
この発明は、情報提供システムに関し、特に、商品属性に着目した情報提供に関する。
【背景技術】
【０００２】
今日、アフィリエイトシステムが知られている。これは、商品販売サイトと契約し、自己のサイトで商品を紹介し、購入がなされると一定の紹介料を紹介サイト運営者に支払うというものである。
たとえば、Ｘ社が新商品ＡをサイトXAで販売しており、Ｘ社と契約したＹが自己サイトＹ１で、この商品を推薦し、リンク先をサイトＸＡとするバナー広告を埋め込んでおけば、これをユーザがクリックすると、サイトＸＡにジャンプする。
【０００３】
サイトＸＡでは、サイトＹ１からジャンプしてきたことは分かるので、Ｙに報酬を支払うというものである。
【０００４】
特許文献１には、労力を掛けずに旅行に有用な情報を得ることが可能な情報提供システムが開示されている。
【先行技術文献】
【特許文献】
【０００５】
【特許文献１】特開２００８−３３３９９号公報
【発明の概要】
【発明が解決しようとする課題】
【０００６】
しかしながら、上記特許文献１では、バナー広告のリンク先はリンク元の運営者の意図で決定されたものであり、必ずしもユーザの望む商品先にリンクされているわけではない。
【０００７】
この発明は、上記の問題点を解決して、ユーザの希望する商品サイトへ簡易にアクセスすることができる情報提供システムをまたはその方法を提供することを目的とする。
【課題を解決するための手段】
【０００８】
(1)本発明にかかる商品紹介システムは、Ａ）特定アドレス宛に送信されたメールデータを受信するユーザ端末、Ｂ）前記ユーザ端末とネットワーク接続された情報仲介サーバ、を備えた商品紹介システムであって、Ｃ）前記情報仲介サーバは、個別商品特定情報が、複数列挙された商品特定情報リストを記憶するリスト記憶手段を記憶している、c1)前記個別商品特定情報は、商品特定属性のうち人的属性文字列を含んだ文字列で構成され、特定の商品販売サイトにハイパーリンクされている、c2)前記商品特定情報リストは、同じ人的属性文字列を有する個別商品特定情報毎にグループ化されて、グループ毎に別のＵＲＬに記憶されている、Ｄ）前記ユーザ端末は、以下を備えていること、d1)前記各グループに共通する人的属性文字列と、各グループ毎のＵＲＬの対応リストを記憶する対応リスト記憶手段、d2)前記受信したメールデータから、前記対応リストの人的属性文字列を抽出して、抽出した人的属性文字列に対応するＵＲＬとハイパーリンク表示させるハイパーリンク処理手段、d3)前記ハイパーリンク表示させた人的属性文字列が選択された選択命令が与えられると、対応するＵＲＬに記憶された商品特定情報リストの配信要求を前記情報仲介サーバに与え、前記情報仲介サーバから、前記商品特定情報リストを受け取ると、前記商品特定情報リストを表示するブラウザ処理手段。
前記個別商品特定情報は、商品特定属性のうち人的属性文字列を含んだ文字列で構成され、特定の商品販売サイトにハイパーリンクされており、前記商品特定情報リストは、同じ人的属性文字列を有する個別商品特定情報毎にグループ化されて、グループ毎に別のＵＲＬに記憶されている。したがって、ユーザは人的属性文字列を含んだ文字列を有する個別商品特定情報を介して、所望の商品販売サイトにアクセスすることができる。
【０００９】
(2)本発明にかかる商品紹介システムは、Ａ）特定アドレス宛に送信されたメールデータを受信するユーザ端末、Ｂ）前記ユーザ端末とネットワーク接続された情報仲介サーバ、を備え、Ｃ）前記情報仲介サーバは、以下の商品特定情報リスト記憶手段を備えている、c1)商品特定属性のうち商品属性文字列を含んだ文字列で構成され、特定の商品販売サイトにハイパーリンクされている個別商品特定情報が、複数列挙された商品特定情報リストを記憶している、c2)前記商品特定情報リストは、同じ商品属性文字列を有する個別商品特定情報毎にグループ化されて、グループ毎に別のファイルに記憶されている、Ｄ）前記ユーザ端末は、以下を備えている、前記各グループに共通する商品属性文字列と、各グループ毎のファイル格納先特定データの対応リストを記憶するファイル格納先特定データ記憶手段、前記受信したメールデータから、前記対応リストの商品属性文字列を抽出して、抽出した商品属性文字列に対応するファイル格納先特定データとハイパーリンク表示させる表示制御手段。
【００１０】
このように、商品特定属性のうち商品属性文字列を含んだ文字列で構成され、特定の商品販売サイトにハイパーリンクされている個別商品特定情報が、複数列挙された商品特定情報リストを記憶している、前記商品特定情報リストは、同じ商品属性文字列を有する個別商品特定情報毎にグループ化されて、グループ毎に別のファイルに記憶されている。したがって、ユーザは商品属性文字列を含んだ文字列を有する個別商品特定情報を介して、所望の商品販売サイトにアクセスすることができる。
【００１１】
(3)本発明にかかるユーザ端末は、Ａ）商品特定属性のうち商品属性文字列を含んだ文字列で構成され、特定の商品販売サイトにハイパーリンクされた個別商品特定情報が、複数列挙された商品特定情報リストを記憶する商品特定情報リスト記憶手段であって、前記商品特定情報リストは、同じ商品属性文字列を有する個別商品特定情報毎にグループ化されて、グループ毎に別のファイルに記憶されている商品特定情報リスト記憶手段、Ｂ）前記各グループに共通する商品属性文字列と、各グループ毎のファイル格納先特定データの対応リストを記憶するファイル格納先特定データ記憶手段、Ｃ）受信したメールデータから、前記対応リストの商品属性文字列を抽出して、抽出した商品属性文字列に対応するファイル格納先特定データとハイパーリンク表示させる表示制御手段、を備え、Ｄ）前記表示制御手段は、前記ハイパーリンク表示させた商品属性文字列が選択された選択命令が与えられると、選択されたファイル記憶された商品特定情報リストを表示する。したがって、前記商品特定情報リストを取得する通信処理を行うことなく、前記商品特定情報リストを表示することができる。
【００１２】
(4)本発明にかかる商品紹介システムは  Ａ）特定アドレス宛に送信されたメールデータを受信するユーザ端末、Ｂ）前記ユーザ端末とネットワーク接続された情報仲介サーバ、を備えた商品紹介システムであって、Ｃ）前記情報仲介サーバは、以下の商品特定情報リスト記憶手段を備えている、c1)商品特定属性のうち商品属性文字列を含んだ文字列で構成され、特定の商品販売サイトにハイパーリンクされている個別商品特定情報が、複数列挙された商品特定情報リストを記憶している、c2)前記商品特定情報リストは、同じ商品属性文字列を有する個別商品特定情報毎にグループ化されて、グループ毎に別のファイルに記憶されている、ユーザ端末から商品属性文字列を特定したファイル格納先特定データ問い合わせ要求があると、前記商品特定情報リストを参照して、当該商品属性文字列を含む商品特定情報リストのファイル格納先特定データを送信する回答手段、Ｄ）前記ユーザ端末は、以下を備えている。d1)前記各グループに共通する商品属性文字列リストを記憶する抽出文字列記憶手段、d2)前記受信したメールデータに前記商品属性文字列記憶手段に記憶された文字列を抽出した場合には、これを前記情報仲介サーバに送信する送信手段、d3)前記情報仲介サーバから、ファイル格納先特定データを受け取ると、抽出した文字列を、受け取ったファイル格納先特定データとハイパーリンク表示させる表示制御手段。
【００１３】
このように、商品特定属性のうち商品属性文字列を含んだ文字列で構成され、特定の商品販売サイトにハイパーリンクされている個別商品特定情報が、複数列挙された商品特定情報リストを記憶している、前記商品特定情報リストは、同じ商品属性文字列を有する個別商品特定情報毎にグループ化されて、グループ毎に別のファイルに記憶されている。したがって、ユーザは商品属性文字列を含んだ文字列を有する個別商品特定情報を介して、所望の商品販売サイトにアクセスすることができる。また、ユーザ端末に前記各グループに共通する商品属性文字列と、各グループ毎のファイル格納先特定データの対応リストを記憶する必要がなくなる。
【００１４】
(5)本発明にかかる商品紹介システムは  Ａ）テキストデータを含むコンテンツデータを供給する複数の情報提供サーバ、Ｂ）前記ユーザ端末とネットワーク接続された情報仲介サーバ、を備えた商品紹介システムであって、Ｃ）前記情報仲介サーバは、下記商品特定情報リスト記憶手段、ファイル格納先特定データ記憶手段、ハイパーリンク処理手段を有し、Ｃ１)以下のc11),c12)の商品特定情報リスト記憶手段、c11)商品特定属性のうち商品属性文字列を含んだ文字列で構成され、特定の商品販売サイトにハイパーリンクされている個別商品特定情報が、複数列挙された商品特定情報リストを記憶している、c12)前記商品特定情報リストは、同じ商品属性文字列を有する個別商品特定情報毎にグループ化されて、グループ毎に別のファイルに記憶されている、Ｃ２）前記各グループに共通する商品属性文字列と、各グループ毎のファイル格納先特定データの対応リストを記憶するファイル格納先特定データ記憶手段、Ｃ３）前記コンテンツデータから、前記対応リストの商品属性文字列を抽出して、抽出した商品属性文字列に対応するファイル格納先特定データとハイパーリンク処理させるハイパーーリンク処理手段。
【００１５】
したがって、前記情報供給サーバに記憶されたコンテンツデータについて、前記商品属性文字列を含んだ文字列で構成され、特定の商品販売サイトにハイパーリンクされている個別商品特定情報が同じ個別商品特定情報が複数列挙された商品特定情報リストとリンクさせることができる。
【００１６】
(6)本発明にかかる商品紹介システムは  Ａ）テキストデータを含むコンテンツデータを供給する複数の情報提供サーバ、Ｂ）前記情報提供サーバにアクセスして前記コンテンツデータを受信するユーザ端末、Ｃ）前記ユーザ端末とネットワーク接続された情報仲介サーバ、を備えた商品紹介システムであって、Ｄ）前記情報仲介サーバは、下記の商品特定情報リスト記憶手段を有し、ｄ１)以下のd11),d12)の商品特定情報リスト記憶手段、d11)商品特定属性のうち商品属性文字列を含んだ文字列で構成され、特定の商品販売サイトにハイパーリンクされている個別商品特定情報が、複数列挙された商品特定情報リストを記憶している、d12)前記商品特定情報リストは、同じ商品属性文字列を有する個別商品特定情報毎にグループ化されて、グループ毎に別のファイルに記憶されている、Ｅ）前記ユーザ端末は、下記のファイル格納先特定データ記憶手段、コンテンツデータ取得手段、ハイパーーリンク処理手段を有する、e1)前記各グループに共通する商品属性文字列と、各グループ毎のファイル格納先特定データの対応リストを記憶するファイル格納先特定データ記憶手段、e2)前記コンテンツサーバから前記コンテンツデータを取得するコンテンツデータ取得手段、e3)前記取得したコンテンツデータについて、前記対応リストの商品属性文字列を抽出して、抽出した商品属性文字列に対応するファイル格納先特定データとハイパーリンク表示させるハイパーーリンク処理手段。
【００１７】
したがって、前記情報供給サーバに記憶されたコンテンツデータについて、前記商品属性文字列を含んだ文字列で構成され、特定の商品販売サイトにハイパーリンクされている個別商品特定情報が同じ個別商品特定情報が複数列挙された商品特定情報リストとリンクさせることができる。また、前記商品特定情報リストは前記ユーザ端末が記憶しているので、前記商品特定情報リスト取得時間を短くすることができる。
【００１８】
本明細書において、「商品」とは物理的な有体物だけでなく、サービス等も含む概念である。「人的商品属性文字列」とは、個人の名称だけでなく、企業名などの主体を表すものも含む概念である。「商品属性文字列」とは、人的商品属性文字列だけでなく、その他、場所、商品に関するプロフィール、企業情報、地図、時刻表なども含む概念である。「対応リスト」は実施形態では、図２のインデックステーブル２６ｉに該当する。「商品特定情報リスト」は、実施形態では図５ａ，図５ｂに示すＨＴＭＬデータが該当する。なお、「対応リスト」および「商品特定情報リスト」のデータ形式はこれらに限定されない。
【図面の簡単な説明】
【００１９】
【図１】本件システムにおける概要を説明するである。
【図１ｂ】本件システムにおける機能ブロック図である。
【図２】ユーザ端末１０を、ＣＰＵを用いて実現したハードウェア構成の一例を示す図である。
【図３】モジリストインデックステーブルのデータ構造を示す。
【図４】情報仲介サーバ５のハードウェア構成の一例を示す図である。
【図５ａ】リンク先特定モジリストデータを示す図である。
【図５ｂ】リンク先特定モジリストデータを示す図である。
【図６】ユーザ１０のメールプログラム２６mのフローチャートを示す図である。
【図７】受信したメールおよびハイパーリンク表示された状態を示す図である。
【図８】図５ｂのリンク先特定モジリストデータによる表示例である。
【図９】サーバに検索処理をさせる場合のテーブル例である。
【発明を実施するための形態】
【００２０】
以下、本発明における実施形態について、図面を参照して説明する。
（１. 概要）
本発明にかかるシステムの理解を容易にするために、本発明の構成を説明する前に、ユーザ端末にてどのような表示がなされるかについて図１を用いて説明する。
【００２１】
図１は、本発明を、メールを用いた商品紹介システムとして構築した場合の状態遷移を示す。ユーザ端末にメールが表示されると、情報仲介サーバに記憶されている人名の部分がハイパーリンク表示される。これは後述するようにテーブルを参照することにより実行される。メールの表示画面にて、ハイパーリンクされた人名が選択されると、情報仲介サーバの特定リストにジャンプする。たとえば「福山雅治」が選択されると、情報仲介サーバの「福山雅治」を属性キーとして含む商品のリストが表示される。ユーザは表示されたリストの内、興味がある行を選択すると、対応するサイトが表示される。たとえば”「福山雅治」の歌詞”が選択されると、商品サイトＢが表示される。
【００２２】
このように、商品を特定する属性キーのうち、人的属性文字列（氏名、略称、愛称など）が同じ商品をグループ化して記憶しておき、テキストデータ中に同じ人的属性文字列があればそのリスト化したページとハイパーリンクさせて表示している。したがって、ユーザは商品特定情報として人的属性文字列を含む商品を、簡易に探し出すことができる。
【００２３】
（２.機能ブロック図）
商品紹介システム２の機能ブロック図を図１ｂに示す。商品紹介システム２は、メールサーバ１、特定アドレス宛に送信されたメールデータを受信するユーザ端末１０、ユーザ端末１０とネットワーク接続された情報仲介サーバ５、情報サイト１９a〜１９nを備えている。
【００２４】
情報仲介サーバ５は、個別商品特定情報が、複数列挙された商品特定情報リストを記憶するリスト記憶手段３を記憶している。前記個別商品特定情報は、商品特定属性のうち人的属性文字列を含んだ文字列で構成され、特定の商品販売サイトにハイパーリンクされており、前記商品特定情報リストは、同じ人的属性文字列を有する個別商品特定情報毎にグループ化されて、グループ毎に別のＵＲＬに記憶されている。
【００２５】
ユーザ端末１０は、メール受信手段１１、メール記憶手段１２，対応リスト記憶手段１４、ハイパーリンク処理手段１５を備えている。メール受信手段１１はメールサーバ１からメールを受信し、メール記憶手段１２に記憶する。
【００２６】
対応リスト記憶手段１４は、各グループに共通する人的属性文字列と、各グループ毎のＵＲＬの対応リストを記憶する。ハイパーリンク処理手段１５は、前記受信したメールデータから、前記対応リストの人的属性文字列を抽出して、抽出した人的属性文字列に対応するＵＲＬとハイパーリンク表示させる。ブラウザ処理手段１６は、ハイパーリンク表示させた人的属性文字列が選択された選択命令が与えられると、対応するＵＲＬに記憶された商品特定情報リストの配信要求を情報仲介サーバ５に与え、情報仲介サーバ５から、前記商品特定情報リストを受け取ると、前記商品特定情報リストを表示する。商品特定情報リストは特定の商品販売サイトにハイパーリンクされており、ユーザは、ブラウザ処理手段１６により、いずれかが選択されると、ハイパーリンクされた情報サイト１９a〜１９nにアクセスすることができる。  
【００２７】
（３.ユーザ端末）
図１ｂに示すユーザ端末１０のハードウェア構成について図２を用いて説明する。
【００２８】
ユーザ端末１０は、ＣＰＵ２３、メモリ２７、不揮発性メモリ２６、表示部３０、入力部２８、通信部２４，音声処理部２２およびバスライン２９を備えている。ＣＰＵ２３は、不揮発性メモリ２６に記憶された各プログラムにしたがいバスライン２９を介して、各部を制御する。
【００２９】
不揮発性メモリ２６は、オペレーティングシステムプログラム２６ｏ（以下ＯＳと略す）、ブラウザプログラム２６ｂ、メールプログラム２６ｍ、メール記憶部２６ｋ、インデックステーブル２６ｉを記憶する。本実施形態においては、オペレーティングシステムプログラム（ＯＳ）２６ｏとして、LINUX（登録商標または商標）を採用したが、これに限定されるものではない。
【００３０】
ブラウザプログラム２６ｂは一般的なブラウザとしての処理を実行する。メールプログラム２６ｍの処理については通常のメールの送受信処理以外に後述するようなリンク処理を行う。
【００３１】
音声処理部２２にはマイク２２ｍ，スピーカ２２ｓが接続されており、音声データの入出力処理を行う。通信部２４はデータ通信処理を行う。
【００３２】
また、本実施形態においては、各種プログラムは、通信部２４を用いてダウンロードしたが、最初からインストールするようにしてもよい。
【００３３】
図３にインデックステーブル２６ｉを示す。インデックステーブル２６ｉは、リスト先ＵＲＬが人名別に記憶されている。たとえば、「加藤あい」であれば、「http://www.mojilist.jp/katoai.index」が、「福山雅治」であれば、「http://www.mojilist.jp/fukuyamamasaharu.index」である。
【００３４】
（４.情報仲介サーバ）
図１ｂに示す情報仲介サーバ５のハード構成を図４に示す。情報仲介サーバ５のハード構成は、一般的なウェブサーバと同様である。ハードディスク１２６には、図５ａ，図５ｂに示すようなリンク先特定モジリストデータ（ＨＴＭＬデータ）が記憶されている。
【００３５】
図５ａのリンク先特定モジリストデータは、ＵＲＬ「http://www.mojilist.jp/katoai.index」に記憶されており、図５ｂのリンク先特定モジリストデータは、ＵＲＬ「http://www.mojilist.jp/fukuyamamasaharu.index」に記憶されている。
【００３６】
リンク先特定モジリストデータは、人名を商品属性キーとして、同じ人名を含む商品のリストに対して、各商品についてはリンク先ＵＲＬが対応づけられている。たとえば、図５ａに示すように、商品”「加藤あい」のエッセイ”には、リンク先として”http://www.xxxbook.jp/katoai.html”が対応づけられている（行１３０参照）。
【００３７】
このように、情報仲介サーバ５が、ユーザ端末１０のインデックステーブル２６ｉにて指定されているＵＲＬに、リンク先特定モジリストデータを記憶していることにより、後述するように、ユーザ端末で受信したメール本文に存在する文字列「福山雅治」に対して、リンク先としてＵＲＬ「http://www.mojilist.jp/fukuyamamasaharu.index」の表示データ（図８参照）をユーザ端末に表示させることができる。
【００３８】
（５．フローチャート)
ユーザ端末１０のメールプログラム２６ｍに基づく処理について、図６のフローチャートを用いて説明する。
【００３９】
ＣＰＵ２３は、メール表示を行う（ステップＳ１）。ここでは、図７Ａに示すメール本文がユーザ端末１０に表示されたものとする。ＣＰＵ２３は、リンク表示命令がなされたか否か判断しており（図６ステップＳ３）、リンク表示命令がなされると、前記表示したメール本文の解析処理を行う（ステップＳ５）。かかる解析処理は一般的な形態素解析を行えばよい。ＣＰＵ２３は、インデックステーブルに存在する単語をメール本文から抽出する（ステップＳ７）。図７Ａに示すメール本文であれば、「福山雅治」が抽出される。
【００４０】
ＣＰＵ２３は、抽出した全単語をハイパーリンク表示させる（図６ステップＳ９）。この場合、図７Ｂに示すように文字列「福山雅治」の部分がハイパーリンク表示される。リンク先は、ＣＰＵ２３が図３に示す「福山雅治」に対応するリンク先リストの「http://www.mojilist.jp/fukuyamamasaharu.index」を読み出すことにより、決定される。
【００４１】
ＣＰＵ２３は、リンク表示された文字列が選択されたか否か判断する（図６ステップＳ１１）。本実施形態においては、ユーザが文字列「福山雅治」の部分にカーソルキー（図示せず）を移動させて決定キー（図示せず）を押下するか否かで判断するようにした。リンク表示された文字列が選択されると、ＣＰＵ２３は、ブラウザプログラム２６ｂに該当ＵＲＬを送る（ステップＳ１３）。この場合、ブラウザプログラム２６ｂに、ステップＳ９にて決定された「http://www.mojilist.jp/fukuyamamasaharu.index」が送られる。ブラウザプログラム２６ｂは、かかるアドレスを受け取ってこのアドレスのデータを配信する要求を行う。ＵＲＬ「http://www.mojilist.jp/fukuyamamasaharu.index」には、既に説明したように、図５ｂのリンク先特定モジリストデータが記憶されている。したがって、ユーザ端末は、このリンク先特定モジリストデータに基づいて、図８に示す画像データを表示する。
【００４２】
このように、商品サイトを特定する情報として、商品特定属性のうち同じ人的属性文字列を含んだ文字列で構成された個別商品を複数列挙した商品特定情報リストとリンク処理させることにより、当該人的属性文字列に関連する商品サイトを素早く探し出すことができる。
【００４３】
なお、本実施形態においては、一つの単語がハイパーリンク表示された場合について説明したが、複数の単語が抽出された場合には、抽出された単語全てがハイパーリンク表示される。
【００４４】
（６.変形実施形態）
（６.１  ユーザ端末内で処理する場合）
上記実施形態においては情報仲介サーバ５を設け、ここに図５ａ，図５ｂに示すリンク先特定モジリストデータを記憶しておき、ユーザ端末１０から該当するファイルにリンクさせた場合について説明したが、図５ａ，図５ｂに示すリンク先特定モジリストデータをユーザ端末に記憶させるようにしてもよい。これにより、情報仲介サーバ５への問い合わせの時間が不要となる。
【００４５】
この場合、情報仲介サーバ５はリンク処理においては不要となる。この場合でも、ユーザ端末のリンク先特定モジリストデータの更新する場合には、必要である。
【００４６】
（６.２  情報仲介サーバ内で検索する場合）
上記実施形態においては、ユーザ端末に図３に示すリストデータが存在するリスト先ＵＲＬを対応づけたテーブルを記憶するようにしたが、情報仲介サーバ５に検索処理を実行させて、リンク先特定モジリストデータにリンクさせるようにしてもよい。例えば、図９に示すようなリストを表示しておき、転送ＵＲＬ先を１つ設定しておき、引数として、対象文字列を与えて、情報仲介サーバ５に該当ＵＲＬを検索させるようにすればよい。これにより、例えばユーザ端末は、「福山雅治」が存在するメール本文から、文字列「福山雅治」を抽出する。ユーザ端末は、情報仲介サーバに、下記のような処理命令を与えればよい。
【００４７】
<method="post" action="http://www.mojilist.jp//cgi-bin/kensaku/word="福山雅治".cgi"
情報仲介サーバ５は、検索キー「福山雅治」を人的属性文字列として記憶しているリンク先特定モジリストデータ「http://www.mojilist.jp/fukuyamamasaharu.index」を抽出して、かかるＵＲＬで特定されるファイルを送信する。
【００４８】
これにより、ユーザ端末１０のメモリ領域を少しでも小さくすることができる。
【００４９】
（６.３  メールサーバでハイパーリンク処理する場合）
ユーザ端末１０で上記処理を行わず、メールサーバ内でハイパーリンク処理をするようにしてもよい。具体的には、図３に示すようなテーブルをメールサーバ内に設けておき、ハイパーリンク処理をさせればよい。これにより、ユーザ端末１０での処理を減らすことができる。
【００５０】
（６.４  ウェブサーバのデータについて適用する場合）
本実施形態においては、テキストデータとしてメール本文を採用したが、テキストデータを含むＨＴＭＬデータを記憶するウェブサーバについても同様に適用することができる。具体的には、特定のウェブサーバに記録されているＨＴＭＬデータを読み出して、図５ａ，図５ｂに示すデータとハイパーリンク処理をする仲介サーバを設けるようにすればよい。この場合、ユーザ端末には通常のブラウザプログラムがあれば対応可能である。
【００５１】
また、ブラウザプログラムを用いる場合でも、元のＨＴＭＬデータはそのままとしておき、ブラウザプログラムによって表示するときに、プラグインプログラムによって、別途モジリストリンク先テーブルの各ＵＲＬへのハイパーリンク処理をするようにしてもよい。
【００５２】
また、この場合も、図５ａ，図５ｂに示すリンク先特定モジリストデータをユーザ端末に記憶させるようにしてもよい。これにより、情報仲介サーバ５への問い合わせの時間が不要となる。
【００５３】
また、この場合も、ユーザ端末に図９に示すようなリストを表示しておき、転送ＵＲＬ先を１つ設定しておき、引数として、対象文字列を与えて、情報仲介サーバ５に該当ＵＲＬを検索させるようにしてもよい。
【００５４】
このように、図３に示すテーブルを用いた処理、および図５ａ，図５ｂに示すリンク先特定モジリストデータをどのコンピュータに記憶させるのかについては、任意である。また、リンク先特定モジリストデータを生成するデータをテーブル等に記憶しておき、動的に生成するようにしてよい。  
【００５５】
（７.その他の実施形態）
本実施形態においては、リンク表示処理についてのみ説明したが、かかるリンク処理を通じて、アフィリエイト処理が可能である。例えば、情報仲介サーバ５にアフィリエイトの報酬を支払うようにすればよい。その際、各情報サイト１９ａ〜１９ｎは、ユーザ端末から与えられる１つ前のサイトのＵＲＬを環境変数として受け取るようにすればよい。また、その際、メール受信者である購入者にも報酬を支払うようにしてもよい。また、購入者が加入している通信プロバイダなどに報酬を支払うようにしてよい。また、コンテンツデータである場合には当該コンテンツを提供している提供者に報酬を支払うようにしてもよい。
【００５６】
本実施形態においては、テキストデータとして、メール本文およびインターネットに接続されたコンテンツデータである場合について説明した。後者の例としては、例えば、電子出版データなどが該当する。ただ、これらに限られず、ネットワークで接続されたテキストデータであれば、同様に適用することができる。
【００５７】
本実施形態においては、商品を販売するサイトにハイパーリンクするようにしたが、商品としてサービスを受けるようにしてもよい。
【００５８】
なお、ユーザ端末１０としてａｎｄｒｏｉｄ携帯（登録商標または商標））に独自メールソフトをインストールして構成してもよい。また通信機能付きのパソコンで構成してもよい。
【００５９】
本実施形態においては、ユーザ端末のブラウザプログラムを用いて実現した場合を例として説明したが、このような表示が可能な専用プログラムをユーザ端末にインストールすることにより実行するようにしてもよい。、
上記実施形態においては、図１ｂに示す機能を実現するために、ＣＰＵ２３を用い、ソフトウェアによってこれを実現している。しかし、その一部もしくは全てを、ロジック回路などのハードウェアによって実現してもよい。なお、プログラムの一部の処理を、オペレーティングシステム（ＯＳ）にさせるようにしてもよい。
【図１】
2014139804.tif 000003
【図１ｂ】
2014139804.tif 000004
【図２】
2014139804.tif 000005
【図３】
2014139804.tif 000006
【図４】
2014139804.tif 000007
【図５ａ】
2014139804.tif 000008
【図５ｂ】
2014139804.tif 000009
【図６】
2014139804.tif 000010
【図７】
2014139804.tif 000011
【図８】
2014139804.tif 000012
【図９】
2014139804.tif 000013
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
Ａ）特定ID宛に送信された電子的メッセージを受信するユーザ端末、
Ｂ）前記ユーザ端末とネットワーク接続された情報仲介サーバ、
を備えた商品紹介システムであって、
Ｃ）前記情報仲介サーバは、個別商品特定情報を複数列挙する商品特定情報リストを記憶する、
c1)前記個別商品特定情報は、商品特定属性のうち人的属性文字列を含んだ文字列で構成されており、特定の商品販売サイトにハイパーリンクされている、
c2)前記商品特定情報リストは、同じ人的属性文字列を有する個別商品特定情報毎にグループ化されて、グループ毎に別のＵＲＬで特定されるファイルに記憶されている、
Ｄ）前記ユーザ端末は、以下を備えていること、
d1)前記各グループに共通する人的属性文字列と、各グループ毎のＵＲＬの対応リストを記憶する対応リスト記憶手段、
d2)前記受信した電子的メッセージから、前記対応リストの人的属性文字列を抽出して、抽出した人的属性文字列に対応するＵＲＬとハイパーリンク表示させるハイパーリンク処理手段、
d3)前記ハイパーリンク表示させた人的属性文字列が選択された選択命令が与えられると、対応するＵＲＬに記憶された商品特定情報リストの配信要求を前記情報仲介サーバに与え、前記情報仲介サーバから、前記商品特定情報リストを受け取ると、前記商品特定情報リストを表示するブラウザ処理手段、
を特徴とする商品紹介システム。
【請求項２】
Ａ）特定ID宛に送信された電子的メッセージを受信するユーザ端末、
Ｂ）前記ユーザ端末とネットワーク接続された情報仲介サーバ、
を備えた商品紹介システムであって、
Ｃ）前記情報仲介サーバは、個別商品特定情報を複数列挙する商品特定情報リストを記憶する、
c1)前記個別商品特定情報は、商品特定属性のうち商品属性文字列を含んだ文字列で構成されており、特定の商品販売サイトにハイパーリンクされている、 
c2)前記商品特定情報リストは、同じ商品属性文字列を有する個別商品特定情報毎にグループ化されて、グループ毎に別のファイルに記憶されている、
Ｄ）前記ユーザ端末は、以下を備えていること、
d1)前記各グループに共通する商品属性文字列と、各グループ毎のファイル格納先特定データの対応リストを記憶するファイル格納先特定データ記憶手段、
d2)前記受信した電子的メッセージから、前記対応リストの商品属性文字列を抽出して、抽出した商品属性文字列に対応するファイル格納先特定データとハイパーリンク表示させる表示制御手段、
を特徴とする商品紹介システム。
【請求項３】
Ａ）個別商品特定情報を複数列挙する商品特定情報リストを記憶する商品特定情報リスト記憶手段、
a1)前記個別商品特定情報は、商品特定属性のうち商品属性文字列を含んだ文字列で構成されており、特定の商品販売サイトにハイパーリンクされている、     a2)前記商品特定情報リストは、同じ商品属性文字列を有する個別商品特定情報毎にグループ化されて、グループ毎に別のファイルに記憶されている、
Ｂ）前記各グループに共通する商品属性文字列と、各グループ毎のファイル格納先特定データの対応リストを記憶するファイル格納先特定データ記憶手段、
C)受信した電子的メッセージから、前記対応リストの商品属性文字列を抽出して、抽出した商品属性文字列に対応するファイル格納先特定データとハイパーリンク表示させる表示制御手段、
を備え、
Ｄ）前記表示制御手段は、前記ハイパーリンク表示させた商品属性文字列が選択された選択命令が与えられると、選択されたファイル記憶された商品特定情報リストを表示すること、
を特徴とするユーザ端末。
【請求項４】
Ａ）特定ID宛に送信された電子的メッセージを受信するユーザ端末、
Ｂ）前記ユーザ端末とネットワーク接続された情報仲介サーバ、
を備えた商品紹介システムであって、
Ｃ）前記情報仲介サーバは、個別商品特定情報を複数列挙する商品特定情報リストを記憶する商品特定情報リスト記憶手段および回答手段を備えている、
c1)前記個別商品特定情報は、商品特定属性のうち商品属性文字列を含んだ文字列で構成されており、特定の商品販売サイトにハイパーリンクされている、
c2)前記商品特定情報リストは、同じ商品属性文字列を有する個別商品特定情報毎にグループ化されて、グループ毎に別のファイルに記憶されている、
c3）前記回答手段は、ユーザ端末から商品属性文字列を特定したファイル格納先特定データ問い合わせ要求があると、前記商品特定情報リストを参照して、当該商品属性文字列を含む商品特定情報リストのファイル格納先特定データを送信する、
D）前記ユーザ端末は、以下を備えていること、
d1)前記各グループに共通する商品属性文字列リストを記憶する抽出文字列記憶手段、
d2)前記受信した電子的メッセージに前記商品属性文字列リストに存在する文字列を抽出した場合には、これを前記情報仲介サーバに送信する送信手段、
d3)前記情報仲介サーバから、ファイル格納先特定データを受け取ると、抽出した文字列を、受け取ったファイル格納先特定データとハイパーリンク表示させる表示制御手段、
を特徴とする商品紹介システム。
【手続補正２】
【補正対象書類名】明細書
【補正対象項目名】０００８
【補正方法】変更
【補正の内容】
【０００８】
(1)本発明にかかる商品紹介システムは、Ａ）特定ID宛に送信された電子的メッセージを受信するユーザ端末、Ｂ）前記ユーザ端末とネットワーク接続された情報仲介サーバ、を備えた商品紹介システムであって、Ｃ）前記情報仲介サーバは、個別商品特定情報が、複数列挙された商品特定情報リストを記憶するリスト記憶手段を記憶している、c1)前記個別商品特定情報は、商品特定属性のうち人的属性文字列を含んだ文字列で構成され、特定の商品販売サイトにハイパーリンクされている、c2)前記商品特定情報リストは、同じ人的属性文字列を有する個別商品特定情報毎にグループ化されて、グループ毎に別のＵＲＬに記憶されている、Ｄ）前記ユーザ端末は、以下を備えていること、d1)前記各グループに共通する人的属性文字列と、各グループ毎のＵＲＬの対応リストを記憶する対応リスト記憶手段、d2)前記受信した電子的メッセージから、前記対応リストの人的属性文字列を抽出して、抽出した人的属性文字列に対応するＵＲＬとハイパーリンク表示させるハイパーリンク処理手段、d3)前記ハイパーリンク表示させた人的属性文字列が選択された選択命令が与えられると、対応するＵＲＬに記憶された商品特定情報リストの配信要求を前記情報仲介サーバに与え、前記情報仲介サーバから、前記商品特定情報リストを受け取ると、前記商品特定情報リストを表示するブラウザ処理手段、前記個別商品特定情報は、商品特定属性のうち人的属性文字列を含んだ文字列で構成され、特定の商品販売サイトにハイパーリンクされており、前記商品特定情報リストは、同じ人的属性文字列を有する個別商品特定情報毎にグループ化されて、グループ毎に別のＵＲＬに記憶されている。したがって、ユーザは人的属性文字列を含んだ文字列を有する個別商品特定情報を介して、所望の商品販売サイトにアクセスすることができる。
【手続補正３】
【補正対象書類名】明細書
【補正対象項目名】０００９
【補正方法】変更
【補正の内容】
【０００９】
(2)本発明にかかる商品紹介システムは、Ａ）特定ID宛に送信された電子的メッセージを受信するユーザ端末、Ｂ）前記ユーザ端末とネットワーク接続された情報仲介サーバ、を備え、Ｃ）前記情報仲介サーバは、以下の商品特定情報リスト記憶手段を備えている、c1)商品特定属性のうち商品属性文字列を含んだ文字列で構成され、特定の商品販売サイトにハイパーリンクされている個別商品特定情報が、複数列挙された商品特定情報リストを記憶している、c2)前記商品特定情報リストは、同じ商品属性文字列を有する個別商品特定情報毎にグループ化されて、グループ毎に別のファイルに記憶されている、Ｄ）前記ユーザ端末は、以下を備えている、前記各グループに共通する商品属性文字列と、各グループ毎のファイル格納先特定データの対応リストを記憶するファイル格納先特定データ記憶手段、前記受信した電子的メッセージから、前記対応リストの商品属性文字列を抽出して、抽出した商品属性文字列に対応するファイル格納先特定データとハイパーリンク表示させる表示制御手段。
【手続補正４】
【補正対象書類名】明細書
【補正対象項目名】００１１
【補正方法】変更
【補正の内容】
【００１１】
(3)本発明にかかるユーザ端末は、Ａ）商品特定属性のうち商品属性文字列を含んだ文字列で構成され、特定の商品販売サイトにハイパーリンクされた個別商品特定情報が、複数列挙された商品特定情報リストを記憶する商品特定情報リスト記憶手段であって、前記商品特定情報リストは、同じ商品属性文字列を有する個別商品特定情報毎にグループ化されて、グループ毎に別のファイルに記憶されている商品特定情報リスト記憶手段、Ｂ）前記各グループに共通する商品属性文字列と、各グループ毎のファイル格納先特定データの対応リストを記憶するファイル格納先特定データ記憶手段、Ｃ）受信した電子的メッセージから、前記対応リストの商品属性文字列を抽出して、抽出した商品属性文字列に対応するファイル格納先特定データとハイパーリンク表示させる表示制御手段、を備え、Ｄ）前記表示制御手段は、前記ハイパーリンク表示させた商品属性文字列が選択された選択命令が与えられると、選択されたファイル記憶された商品特定情報リストを表示する。したがって、前記商品特定情報リストを取得する通信処理を行うことなく、前記商品特定情報リストを表示することができる。
【手続補正５】
【補正対象書類名】明細書
【補正対象項目名】００１２
【補正方法】変更
【補正の内容】
【００１２】
(4)本発明にかかる商品紹介システムは Ａ）特定ID宛に送信された電子的メッセージを受信するユーザ端末、Ｂ）前記ユーザ端末とネットワーク接続された情報仲介サーバ、を備えた商品紹介システムであって、Ｃ）前記情報仲介サーバは、以下の商品特定情報リスト記憶手段を備えている、c1)商品特定属性のうち商品属性文字列を含んだ文字列で構成され、特定の商品販売サイトにハイパーリンクされている個別商品特定情報が、複数列挙された商品特定情報リストを記憶している、c2)前記商品特定情報リストは、同じ商品属性文字列を有する個別商品特定情報毎にグループ化されて、グループ毎に別のファイルに記憶されている、ユーザ端末から商品属性文字列を特定したファイル格納先特定データ問い合わせ要求があると、前記商品特定情報リストを参照して、当該商品属性文字列を含む商品特定情報リストのファイル格納先特定データを送信する回答手段、Ｄ）前記ユーザ端末は、以下を備えている。d1)前記各グループに共通する商品属性文字列リストを記憶する抽出文字列記憶手段、d2)前記受信した電子的メッセージに前記商品属性文字列記憶手段に記憶された文字列を抽出した場合には、これを前記情報仲介サーバに送信する送信手段、d3)前記情報仲介サーバから、ファイル格納先特定データを受け取ると、抽出した文字列を、受け取ったファイル格納先特定データとハイパーリンク表示させる表示制御手段。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】